(57)【要約】【課題】記録画像に適合した発光形態をとることができ、かつ、比較的軽量で可搬性が高く、管理および設置作業が容易な、発光機能を有する記録物を提供する。【解決手段】記録物は、一面に、導電性インクで形成した導電パターンを形成した基材シート１１と、この基材シート１１上の導電パターン５６〜５８に対して搭載された少なくとも１個の発光素子２１を含む電子部品とを備え、基材シート１１の導電パターンが形成された面またはその裏面に画像４２，４３が記録される。導電パターンを含む回路に対して電源が供給されることにより発光素子２１が発光する。【選択図】図１０
2017044744.tif 000002
【特許請求の範囲】
【請求項１】
一面に、導電性インクで形成した導電パターンを形成した基材シートと、
前記基材シート上の導電パターンに対して搭載された少なくとも１個の発光素子を含む電子部品とを備え、
前記基材シートの前記導電パターンが形成された面またはその裏面に画像が記録され、
前記導電パターンを含む回路に対して電源が供給されることにより前記発光素子が発光することを特徴とする、発光機能を有する記録物。
【請求項２】
前記基材シートの一面に前記導電パターンが形成され、その上に前記画像が記録されるとともに、前記発光素子はその発光部を前記基材シートの面から外方に向けて配置された請求項１に記載の、発光機能を有する記録物。
【請求項３】
前記基材シートの一面に前記導電パターンが形成され、その裏面に前記画像が記録されるとともに、前記発光素子はその発光部を前記基材シートの前記一面に向けて配置された請求項１に記載の、発光機能を有する記録物。
【請求項４】
前記導電パターンは内部電源を搭載する接点または外部電源を接続する端子を有する請求項１〜３のいずれかに記載の、発光機能を有する記録物。
【請求項５】
前記外部電源は有線または無線により前記導電パターンに接続される請求項４に記載の、発光機能を有する記録物。
【請求項６】
前記導電パターンに搭載される電子部品により、ユーザによる入力機能が実現される請求項１〜５のいずれかに記載の、発光機能を有する記録物。
【請求項７】
前記入力機能は、機械スイッチ、タッチセンサ、温度センサ、人感センサのいずれかにより実現される請求項６に記載の、発光機能を有する記録物。
【請求項８】
前記タッチセンサは、静電容量検出部と、検出電極とを有し、前記静電容量検出部と前記検出電極とが前記導電パターンで接続され、前記検出電極と人体の接触または近接を検知する請求項７に記載の、発光機能を有する記録物。
【請求項９】
前記導電パターンは前記画像に対応して記録された請求項１〜８のいずれかに記載の記録物。
【請求項１０】
前記導電パターンは前記基材シート上に導電性インクによって記録されたことを特徴とする請求項１〜９のいずれかに記載の、発光機能を有する記録物。
【請求項１１】
請求項１に記載の記録物の基材シート上に形成された導電パターンに対して電気的に接続して貼付される部品ユニットであって、
発光素子の端子の個数分の金属シート片と、
前記金属シート片のそれぞれに対して各端子が接続された前記発光素子と、
前記発光素子を含めてその周囲の前記金属シート片の部分を覆うように固着された保護材とにより構成され、
前記金属シート片の裏面に導電性の接着剤が塗布された
ことを特徴とする部品ユニット。
【発明の詳細な説明】
【技術分野】
【０００１】
本発明は、広報、広告などを目的したポスター等の記録物に関し、特に、発光機能を有する記録物およびこの記録物に利用する部品ユニットに関する。
【背景技術】
【０００２】
近年、いわゆる「光るポスター」というものが注目されている。
【０００３】
例えば、昼間の光を貯めておく特殊塗料で印刷を行うことにより、夜でも数時間光る蓄光発光ポスターが提案されている（特許文献１）
【０００４】
また、側面から内側に向かうＬＥＤ光を導光板で乱反射させて、全面が光るように作られたバックライトを利用して、ポスターをその背後から照明する広告物の照明装置が提案されている（特許文献２参照）。
【０００５】
高輝度で白色発光する無機ＥＬパネルと印刷物を組み合わせた、図柄がアニメーションのように変化する「光るポスター」も知られている（非特許文献１参照）。これは、ポスターの背後から、無機ＥＬの高輝度な照明光を、複数の表示部分が点灯したり消えたりすることでパターンを表示するセグメント方式で発生させ、図柄をアニメーションのように浮き上がらせるものである。
【先行技術文献】
【特許文献】
【０００６】
【特許文献１】実用新案登録第３０９５７６７号公報
【特許文献２】実用新案登録第３１５９２６２号公報
【特許文献３】特開２００８−４３７５号公報
【非特許文献】
【０００７】
【非特許文献１】インターネット、「大日本印刷、無機ＥＬで「光るポスター」を販売」  ＵＲＬ：  ｈｔｔｐ：／／ｉｎｔｅｒｎｅｔ．ｃｏｍ．ｊｐ／ｗｅｂｔｅｃｈ／２０１００９２１／４．ｈｔｍｌ
【非特許文献２】Ｙｏｓｈｉｈｉｋｏ  Ｋａｗａｈａｒａ，  ｅｔ  ａｌ．，  ;Ｉｎｓｔａｎｔ  Ｉｎｋｊｅｔ  Ｃｉｒｃｕｉｔｓ：  ｌａｂ−ｂａｓｅｄ  ｉｎｋｊｅｔ  ｐｒｉｎｔｉｎｇ  ｔｏ  ｓｕｐｐｏｒｔ  ｒａｐｉｄ  ｐｒｏｔｏｔｙｐｉｎｇ  ｏｆ  ｕｂｉｃｏｍｐ  ｄｅｖｉｃｅｓ;  Ｕｂｉ−Ｃｏｍｐ'１３，ｐｐ．３６３−３７２，  ＡＣＭ，  ２０１３
【発明の概要】
【発明が解決しようとする課題】
【０００８】
上記特許文献１に開示された従来技術は、ポスター自体が発光するという点で、別体の照明装置を必要とせず、可搬性やコストの点で有利である。しかし、この発光は単にポスター全体を一様に発光させる照明に過ぎず、印刷画像に適合した発光の形態は期待できない。特に昼間の形態は単なるポスターにすぎない。
【０００９】
また、特許文献２に記載の従来技術は、単にポスターを照明する装置に過ぎず、ポスターの印刷画像に適合した発光の形態などは期待できない。また、ポスターのサイズは当該照明装置のサイズに限定される。しかも、この照明装置はポスターとは別体の装置であるため、比較的高価で、かつ、重量およびサイズが大きくなる。
【００１０】
非特許文献１に記載の従来技術は、ポスターの印刷画像に適合した発光の形態を提供することができるが、やはり、ポスターとは別体の装置であり、比較的高価で、かつ、重量およびサイズが大きくなる。
【００１１】
ところで、導電性のインクとして、金属超微粒子を利用して導電性を発現させる方法において、従来必要であった焼成工程を必要とせずに高い導電性を得ることができるものとして、水及び／または有機溶剤中に金属コロイドとして分散されている金属超微粒子と、イオン結合により分子内にハロゲンを有する化合物とを作用させ、基材上にて導電性を得る技術が提案されている（特許文献３参照）。
【００１２】
このような熱焼成が不要の導電性の発現方法を具現するためのインク（例えば銀ナノインク）を用いることにより、ペンやプリンタによる電子回路やセンサ、アンテナ等の迅速な試作（ラピッドプロトタイピング）が可能になる（非特許文献２参照）。
【００１３】
本出願人は、ポスター等の記録物の記録画像に対応して、導電性のインクを用いて基材シートの上に導電パターンを形成し、この導電パターン上にＬＥＤ等の発光素子を搭載して電子回路シートを構成するとともに、この電子回路シートを当該記録物の背後に重ねて配置することにより、ＬＥＤの光が記録画像の背後から透けて、印刷画像が光っているように見える「光るポスター」を構成した。これにより、当該記録物の記録画像に対応した複数の発光素子の配置や発光形態を実現することができる。また、この構成では、記録に使える記録媒体の種類や印刷方式の選択肢が広いという利点がある。すなわち、記録媒体として、紙、ビニールフィルムなどだけでなく、例えば横断幕のような布地素材も利用可能である。
【００１４】
しかしながら、この構成では、次のような問題がある。
【００１５】
まず、最終的に二枚のシートを重ね合わせる必要があり、搬送・施工が難しい。通常、ポスターは丸めて搬送するが、予め二枚重ねで張り合わせた場合、それを丸めると内径と外径の差でたるみが発生し最後まで巻けない、あるいは、無理やり巻くと印刷面に歪みが生じて破損するという問題が生じる。そのため、二枚重ねにしたあと巻かずにフラットのまま運ぶか、二枚重ねにせずに現地で貼り合わせるかとなる。前者の場合、搬送コストが高くなってしまう上、現実的には完全にフラットを維持したまま運ぶのは必ずしも容易ではなく、シートが折れてしまったりするリスクがある。後者では、「工場で回路パターンと画像の位置合わせをした後に搬送する」という方法に比べると、現場での施工が大変でその作業に時間と労力を要する。しかも、現場での作業では位置合わせの精度が低くなってしまうおそれがある。また、記録物と電子回路シートとを個別に取り扱うので、管理が煩雑となるという問題もある。特に、これらの問題は記録物のサイズが大きくなるほど顕著となる。
【００１６】
本発明はこのような背景においてなされたものであり、記録画像に適合した発光形態をとることができ、かつ、比較的軽量で可搬性が高く、管理および設置作業が容易な、発光機能を有する記録物およびこれに用いる部品ユニットを提供しようとするものである。
【課題を解決するための手段】
【００１７】
本発明による記録物は、一面に、導電性インクで形成した導電パターンを形成した基材シートと、前記基材シートの導電パターンに対して搭載された少なくとも１個の発光素子を含む電子部品とを備え、前記基材シートの前記導電パターンが形成された面またはその裏面に画像が記録され、前記導電パターンを含む回路に対して電源が供給されることにより前記発光素子が発光することを特徴とする、発光機能を有するもの記録物である。
【００１８】
本発明の一形態では、前記基材シートの一面に前記導電パターンが形成され、その上に前記画像が記録されるとともに、前記発光素子はその発光部を前記基材シートの面から外方に向けて配置される。
【００１９】
本発明の他の形態では、前記基材シートの一面に前記導電パターンが形成され、その裏面に前記画像が記録されるとともに、前記発光素子はその発光部を前記基材シートの前記一面に向けて配置される。
【００２０】
記録物が電源供給を受けるため、前記導電パターンは内部電源を搭載する接点または外部電源を接続する端子を有する。
【００２１】
前記外部電源は有線または無線により前記導電パターンに接続されうる。
【００２２】
前記導電パターンに搭載される電子部品により、ユーザによる入力機能が実現されるようにしてもよい。その場合、前記入力機能は、例えば、機械スイッチ、タッチセンサ、温度センサ、人感センサのいずれかにより実現される。
【００２３】
前記タッチセンサは、例えば、静電容量検出部と、検出電極とを有し、前記静電容量検出部と前記検出電極とが前記導電パターンで接続され、前記検出電極と人体の接触または近接を検知する。
【００２４】
前記導電パターンは好ましくは前記画像に対応して記録されたものである。また、前記導電パターンは前記基材シート上に導電性インクによって記録されうる。
【００２５】
本発明による部品ユニットは、請求項１に記載の記録物の基材シート上に形成された導電パターンに対して電気的に接続して貼付される部品ユニットであって、発光素子の端子の個数分の金属シート片と、前記金属シート片のそれぞれに対して各端子が接続された前記発光素子と、前記発光素子を含めてその周囲の前記金属シート片の部分を覆うように固着された保護材とにより構成され、前記金属シート片の裏面に導電性の接着剤が塗布されたものである。この部品ユニットは、上記記録物の導電パターンに対して電子部品を手貼りするための手貼り用ステッカーとして機能する。
【発明の効果】
【００２６】
本発明の記録物では、１枚の基材シート（記録媒体）において、電子回路を構成する導電パターンと、ポスター等の画像とが一体的に記録される。したがって、比較的軽量で可搬性が高い記録物が実現される。また、記録物の記録画像に適合した発光形態をとることができる。さらに、画像と導電パターンの位置あわせも、記録段階で高精度に実現することができる。これにより、記録物の管理および設置作業が容易となる。
【００２７】
記録物が備えた自身の発光素子によりその画像が照明される。発光素子の個数および発光強度にもよるが、夜間に画像を照明するための外部の照明装置を必要としない。
【００２８】
記録物のサイズにも制限がなく、大サイズの記録物の実現が比較的容易である。
【図面の簡単な説明】
【００２９】
【図１】本発明の実施の形態における第１の型の記録物を模式的に示した側面図である。
【図２】本発明の実施の形態における第２の型の記録物を模式的に示した側面図である。
【図３】本発明の実施の形態における記録物の基材シートに対するＬＥＤの取り付け方法の概略について説明するための図である。
【図４】本発明の実施の形態における記録物の基材シートに対するより具体的なＬＥＤの取り付け方法について説明するための図である。
【図５】本発明の実施の形態における記録物の電源について説明するための図である。
【図６】本発明の実施の形態における記録物に対する無線給電送信部と、記録物に搭載された無線給電受信部との間の関係を示す側面図である。
【図７】本発明の実施の形態における手貼り用ステッカーの構成を説明するための図である。
【図８】本発明の実施の形態における記録物としてのポスターの画像の一例を示す図である。
【図９】図８の画像に対応した導電パターンが形成された基材シートと、この導電パターンに搭載または接続される電子部品の例を示す図である。
【図１０】図８の画像と図９の導電パターンの基材シートを組み合わせた裏面型の記録物の例を示す図である。
【発明を実施するための形態】
【００３０】
以下、本発明の実施の形態について図面を参照しながら詳細に説明する。
【００３１】
本明細書において、「記録物」とは、基材シート上にテキストやグラフィックが記録されたものであり、印刷された物（印刷物）の他、手書きのものも含みうる。本実施の形態における記録物は、広報、広告、展示などを目的するものである。典型的にはポスターであるが、これに限るものではない。
【００３２】
ここに、「基材シート」とは紙、フィルム等の記録媒体であり、場合によっては布地素材なども含みうる。「導電パターン」は電子回路のための導電経路を組み合わせた回路パターンであり、電源および各種の電子部品とともに電子回路を構成する。「画像」とはテキストやグラフィックを含む任意のイメージであり、モノクロ、カラーを問わない。
【００３３】
図１は、本実施の形態における第１の型の記録物を模式的に示した側面図である。
【００３４】
図１の記録物１０ａは、基材シート１１の一面に導電パターン１３を形成し、その上に画像１５を記録したものである。この型を表面型と呼ぶ。認識の便宜上、図において、基材シート１１と導電パターン１３と画像１５とは互いに分離して示してある。
【００３５】
導電パターン１３には必要な電子部品が搭載される。この例では、発光素子としてのＬＥＤ２１を示しているが、他の電子部品（電子部品を搭載した基板も含みうる）も搭載しうる。電子部品としては、基本的には、基板（例えば制御基板）、出力素子、入力素子、バッテリ、通信デバイス等を含みうる。制御基板にはＣＰＵと電源端子等が付属している。電源としては、外部から供給する場合と、バッテリを基材シート１１に搭載する場合とがありうる。出力素子としては、発光素子の他、スピーカなどが含まれる。入力素子としては、機械的スイッチやセンサ類が含まれる。センサ類としては、例えば、静電容量式タッチセンサ、温度センサ、人感センサ等がある。
【００３６】
画像１５は典型的には印刷により記録される。但し、手書きによる記録を排除するものではない。この表面型の記録物１０ａにおける画像１５の印刷は、原則として通常の水性インクなどではなく、回路の上からでも印刷できる性質のあるＵＶ硬化インクなどで直接印刷を行って、一枚の基材シートで電子回路とグラフィック表示を兼ねるようにしたものである。これによって、二枚重ねに比べて一枚で完結しているので、施工、搬送などが楽になる（二枚重ねだと二枚の精密な位置合わせが必要）。ただし、ＬＥＤ２１の上にはＵＶ硬化インクなどで印刷できないため、ＬＥＤは表面に露出する（丸見えになる）。
【００３７】
図２は、本実施の形態における第２の型の記録物１０ｂを模式的に示した側面図である。
【００３８】
図２の記録物１０ｂは、基材シート１１の一面に画像１５を形成するとともに、その他面（裏面）に導電パターン１３を形成したものである。便宜上、この型を裏面型と呼ぶ。裏面型では、導電パターン１３を印刷した基材シート１１の表面にＬＥＤ２１等の電子部品（電源、制御基板を含みうる）を取り付ける。その際、ＬＥＤ２１が裏向きに光るようにする。さらにその基材シート１１の裏面に画像１５を印刷する。これにより、基材シート１１を、画像１５の側から見た時にＬＥＤ２１の光が基材シート１１の背後から透けて、画像１５が光っているようにみえる。これによって、ＬＥＤ２１の上にはＵＶ硬化インクで印刷できないという上記の問題が解決される。また、裏面型では、回路の裏面に印刷を行うので、理論上、印刷方式（インクジェット、シルスクリーンなど）は問わない。また、ＬＥＤが表面から露出しないので、ポスター等の意匠性が失われることもない。
【００３９】
次に、図３（ａ）〜（ｄ）を参照して、基材シート１１に対するＬＥＤ２１の取り付け方法の概略について説明する。この記録物はＬＥＤ２１を基材シート１１に取り付けたあと、記録物全体を巻いて搬送できることが好ましい。そのためには、電子回路の機能を損なうことなく記録物として曲げ耐性を有することが必要となる。なお、この例ではＬＥＤの向きが表面型の場合のそれを示しているが、裏面型の場合も同様である。
【００４０】
図３（ａ）は、基材シート１１の所定の位置に設置されたＬＥＤ２１の上から、その周縁の基材シート１１部分に亘って、粘着テープ２２を被せるように貼付した例を示す。この場合、ＬＥＤ２１の端子は基材シート１１上の導電パターン１３の接点に接触した状態としている。
【００４１】
図３（ｂ）は、ＬＥＤ２１の端子と基材シート１１上の導電パターン１３の接点とを半田付けしたものを示す。この例では、いわゆる低温半田２３を用いている。低温半田２３は、耐熱性のない紙等の基材シート１１を用いる場合に好適である。通常、半田の融点まで加熱すると紙が耐えられないためである。このような半田付けによる取り付けは、粘着テープを用いる場合に比べて経年性の観点で有利である。
【００４２】
図３（ｃ）は、導電性接着剤２４でＬＥＤ２１の端子と基材シート１１上の導電パターン１３の接点とを接続したものである。導電性接着剤２４は伸縮性を有するものであることが望ましい。このような導電性接着剤２４は、伸びがあり曲げても割れにくい。半田と違い常温でも固まるものがあるため、熱の問題は起きない。また、半田に比べて、曲げても割れにくいという利点を有する。
【００４３】
図３（ｄ）は、図３（ｃ）の構成に対して、ＬＥＤ２１の上から、ＬＥＤ２１およびその周縁に亘り、保護材２５で被覆したものである。保護材２５は透明な接着剤、樹脂などを利用することができる。透明であることから、保護材２５の下のＬＥＤ２１の存在を視認することができる。保護材２５を用いることにより、基材シート１１に対してＬＥＤ２１を確実に固定するとともに、耐摩耗性を向上させることができる。保護材２５の利用は、図３（ｂ）に示した半田付けと共用することも可能である。
【００４４】
ここで、図４により、基材シート１１に対するより具体的なＬＥＤの取り付け方法について説明する。
【００４５】
図４（ａ）は、図３（ｃ）に示した表面型で導電性接着剤２４を用いる場合を再掲したものである。ＬＥＤについては、一般に電流制限素子（例えば抵抗）を直列に接続し、過電流が流れることを防止する。そのような電流制限素子を内蔵していないＬＥＤデバイスについては、別途、電流制限素子を外付けする場合がある。図４（ｂ）は、リードレス部品としての電流制限素子２６をＬＥＤ２１に対して直列接続した様子を示している。この電流制限素子２６について、ＬＥＤ２１と直列接続するための導電パターン１３が形成されている。この例では、電流制限素子２６も導電性接着剤２４で接続している。
【００４６】
図４（ｃ）は、裏面型でのＬＥＤの接続形態の一例を示している。このＬＥＤ２１ａはいわゆるｚベンド型ＬＥＤであり、ほぼＺ型のリードを有する。ＬＥＤ２１ａはその発光部が基材シート１１に面する向きで、リードを介して導電パターン１３に接続される。
【００４７】
図４（ｄ）は、図４（ｃ）のｚベンド型のＬＥＤ２１ａについて電流制限素子２６を直列に接続した形態を示している。
【００４８】
図４（ｅ）は、裏面型でのＬＥＤの他の接続形態を示している。この接続形態は、裏向きのリードレス部品のＬＥＤ２１に対して、２つの電流制限素子２６を直列接続した形態を示している。電流制限素子２６の外側の端子は導電性接着剤２４で導電パターン１３に接続される。電流制限素子２６の内側の端子は、ＬＥＤ２１ａに対しては導電性接着剤２４で接続される。基材シート１１に対する接着剤は導電性である必要はない。この例では、電流制限素子２６の内側の端子は基材シート１１に対して通常の（非導電性の）接着剤２７で接続されている。図４（ｅ）では、ＬＥＤと基材シート１１との間に、２つの電流制限素子２６を介挿するので、両電流制限素子２６の間に空間が生じる。したがって、リードレス型のＬＥＤ２１であっても、その突出した発光部は、当該空間の存在により、基材シート１１に向けて搭載しても支障がない。
【００４９】
なお、ここで挙げた取り付け方法は例示であり、本発明はこれらに限るものではない。
【００５０】
ここで、図３（ａ）〜（ｄ）に示した４つの取り付け方法のうち、最も好ましい図３（ｄ）に示した取り付け方法を自動的に実行する処理を説明する。
【００５１】
ＬＥＤ取り付け工程では、導電性接着剤を塗布するディスペンサーと、ＬＥＤ（部品）を搭載するチップマウンターとを用いる。すなわち、表面に導電パターン１３が形成された基材シート１１（典型的には印刷済み回路用紙）に、まずはディスペンサー（その位置決めは、自動、手動を問わない）で導電性接着剤を塗布する。次いで、この基材シート１１をチップマウンターにセットし、ＬＥＤを指定された位置に配置する。その後、導電性接着剤が固まるまで待つ。固まった後、ＬＥＤ部に保護剤をディスペンサーで塗布する。
【００５２】
なお、導電性接着剤が常温で固化するため、ディスペンサーでの塗布後にチップマウンターに基材シートを固定している間などに、ＬＥＤを搭載する前に固化してしまうリスクがある。
【００５３】
このようなリスクに対しては、ディスペンサーとチップマウンターとを一体化し、ＸＹテーブルのヘッドにディスペンサーヘッドとチップマウンターヘッドの両方が付属している装置を用いる対応が考えられる。これにより、ＬＥＤ一点ずつ、ディスペンサーで導電性接着剤を塗布したあと直ちに当該箇所にＬＥＤを載置することにより、常温で固化する導電性接着剤でも、ＬＥＤを載置するまでに固まってしまうという問題を回避できる。
【００５４】
次に、図５により電源について説明する。上述したように、本実施の形態の記録物に対する電源としては、外部から供給する場合と、バッテリを基材シートに搭載する場合とがありうる。基材シート上に形成された導電パターンは、内部電源を搭載する接点または外部電源を接続する端子を有する。
【００５５】
図５（ａ）は、記録物１０ｃに電源を内蔵した場合を示している。具体的には、基材シート上の導電パターンに対して、バッテリ２９を接続搭載することにより、内部的に電源が供給される。
【００５６】
図５（ｂ）は、記録物１０ｄに対して、外部ユニット３１から接続手段を介して電源を供給する場合を示している。図の例では、外部ユニット３１から伸びるケーブルの先端に付属したコネクタ３３を、記録物１０ｄ側のコネクタ１６に接続することにより、電源の供給が行われる。
【００５７】
図５（ｃ）は、記録物１０ｅに対して、外部ユニット３５から無線給電を行う場合を示している。外部ユニット３５にはケーブルを介して無線給電送信部３２が記録物１０ｅの近接に配置され、記録物１０ｅに搭載された無線給電受信部５５と協働して、無線給電が行われる。
【００５８】
図６は、無線給電送信部３２と、記録物１０ｅに搭載された無線給電受信部５５との間の関係を示す側面図である。この例では、壁面６０に無線給電送信部３２が設置され、これに対向する形で無線給電受信部５５が位置するように、記録物１０ｅが設置される様子を示している。この記録物１０ｅは裏面型を示しているが、表面型の場合、無線給電受信部５５は基材シート１１の画像１５側に設置されることになるだけで、同様に無線給電を適用可能である。
【００５９】
既存の無線給電の方式として、電磁誘導方式や電磁界共鳴方式が知られている。本発明にはいずれの方式も利用可能であるが、本実施の形態では電磁誘導方式を用いることを想定している。その理由としては、（１）すでに規格化され一般に利用しやすいこと、（２）記録物上の受信部と背面の送信部の距離が比較的近いため、距離が遠くても送電できる電磁界共鳴方式を用いる必要がないこと、が挙げられる。
【００６０】
無線給電に置き換えることのメリットとしては次のような項目が挙げられる。
（１）配線不要化によるポスター設置費の低減。
（２）一旦、無線送信部を設置した場所であれば、記録物（ポスター）が設置しやすくなるため、インフラとして再利用が見込める。
（３）一般にポスターは比較的大面積であるため、無線給電の場合、電力の送受信に用いるコイルの直径を大きくすることができる。これにより、送電電力の大電力化、コイルの紙面と平行な向きに対する位置ずれ許容範囲の拡大が図れる。
【００６１】
上述した伸縮性の導電性接着剤と保護材の組み合わせは極めて強固かつ耐久性の高いものであるが、チップＬＥＤを大量に導電性接着剤で取り付ける処理を手作業で行うことは精度的に困難を伴う。したがって、上記のように実装設備で機械的な取り付けを行うことが好ましい。しかし、例えばポスターを壁に貼った後に手作業でＬＥＤを搭載したいような場合などには対応できない。
【００６２】
このような場合に、精度的な困難を伴うことなく迅速かつ簡単に手作業での基材シートへのＬＥＤ貼付が行えるＬＥＤユニット部品を示す。以下では、便宜上、この部品を手貼り用ステッカーと呼ぶ。
【００６３】
図７により本実施の形態における手貼り用ステッカーの構成を説明する。図７（ａ）は手貼り用ステッカーの分解側面図、図７（ｂ）は手貼り用ステッカーの（非分解）側面図、図７（ｃ）はその平面図である。
【００６４】
手貼り用ステッカーの基材として、ＬＥＤの端子数（図の例では２端子）の導電性の金属テープ（例えばアルミテープや銅テープ）を所定形状に加工した金属テープ片２８を用いる。この金属テープ片２８の裏面には導電性の接着剤が塗布してあり、貼付箇所（貼付した導体パターンの接点）と金属テープ片２８とが導通する。当然ながら金属テープ片２８の表裏間は導通しているので、金属テープ片２８の表面に搭載したＬＥＤと手貼り用ステッカーの貼付箇所とが導通する。
【００６５】
この金属テープ片２８に、図３（ｄ）について既述した製造方法を用いてＬＥＤを取り付ける。このような手貼り用ステッカーを用いることによって、基材シート１１の所望箇所に対してＬＥＤを迅速かつ簡単に搭載することができる。
【００６６】
なお、手貼り用ステッカーの電子部品としてはＬＥＤについてのみ説明したが、他の電子部品（例えば、バッテリ、スイッチ、抵抗、スピーカ、等）についても同様に構成することができる。
【００６７】
以下、本実施の形態による記録物の簡易的な具体例について説明する。実際には、記録物のサイズはより大型で、搭載するＬＥＤ数は多数個用いるたものでありうる。
【００６８】
図８は、記録物としてのポスターの画像の一例を示している。この画像４１は、ランプ（電灯）を表す画像部分４２と、円形のタッチ領域を人の指先でタッチする様子を示す画像部分４３とを含み、基材シート上に印刷されるものとする。
【００６９】
図９は、図８の画像４１に対応した導電パターン５６，５７，５８が形成された基材シート５０と、これらの導電パターンに搭載または接続される電子部品の例を示している。本明細書において、画像に「対応」とは、導電パターンまたはこの導電パターンに搭載される発光素子等の電子部品が、画像の絵柄との間で、主として位置において一致したり、協調、協働の関係にあることをいう。図の例ではランプの画像４２とＬＥＤ２１の位置が一致している。図示しないが、星座の画像を構成する星とＬＥＤの位置が一致することも「対応」の一形態である。なお、本発明はそのような対応関係にあるＬＥＤの他に、画像の要素と必ずしも位置的に一致しない発光素子が回路内に存在することを排除するものではない。
【００７０】
この例では、電子部品としては、制御基板５１と、ＬＥＤ２１とを用いている。制御基板５１には、無線給電受信制御部５２と、発光制御部５３と、静電容量検出部５４とが設けられている。これらの制御部５２，５３および検出部５４は、それぞれ必要な電子部品（図示せず）が搭載されている。
【００７１】
導電パターン５６は、無線給電受信のためのループ状導電路（コイル）を有し、その両端は制御基板５１の無線給電受信制御部５２に繋がる端子５２ａと電気的に接続される。この電気的接続の方法は任意であるが、例えば、端子５２ａと導電パターン５６の端部との間を跨ぐように導電性テープを貼付することにより行える。
【００７２】
１対の平行な導電パターン５７の一端はＬＥＤ２１の両端に接続され、他端は制御基板５１上の発光制御部５３に繋がる端子５３ａと電気的に接続される。
【００７３】
本例では、タッチ領域を構成する円形の電極５９に一端が繋がるＬ字状の導電パターン５８の他端は、制御基板５１上の静電容量検出部５４に繋がる端子５４ａと電気的に接続される。静電容量検出部５４の機能は、人体の検出電極５９への接触、接近を検知することである。人体と電極の接触・近接面は容量（コンデンサ）成分を有する。電極５９へ定電流を流し、その電圧を計測すると、人体が接触していない時は検出電極の電圧が瞬時に上昇し、人体が接触している時は検出電極の電圧の上昇が遅くなる。この現象を利用して電極と人体の接触、近接の検出機能を実現している。
【００７４】
裏面型の場合、この基材シート５０の回路面の裏側に図８の画像４１（４２，４３）が形成（例えば印刷）される。その様子を図１０に示す。図１０では、基材シート５０の画像記録面側から見た場合、破線で示すように、図９の導電パターン５６〜５８等は左右反転した形で見える。タッチ電極５９は裏面(回路側)に印刷されているが、タッチするエリアは印刷画像側となる。電極が裏面にあっても容量変化は生じるので、表面への人体の接触、近接を検知することができる。
【００７５】
なお、この記録物の電源については図示省略しているが、上述した外部ユニットまたは内蔵のいずれかの電源を用いることができる。
【００７６】
表面型の場合には、図９の導電パターンおよび制御基板５１の上に、図８の画像４１が印刷されることになる。表面型で使用する導電パターンと、裏面型で使用する導電パターンとは左右反転（鏡像）の関係となる。
【００７７】
図９に示した回路では、ＬＥＤを単一個のみ使用する例を示したが、常時点灯、点滅、その他、任意の形態で制御される他のＬＥＤ群を設けることもできる。ＬＥＤの個数が多ければ、夜間に、自身の画像４１を照明する照明装置としても機能することができる。
【００７８】
以上、本発明の好適な実施の形態について説明したが、上記で言及した以外にも種々の変形、変更を行うことが可能である。例えば、導電パターン、使用する電子部品、使用する発光素子の個数、その点灯の態様、等は任意である。制御基板にはＢｌｕｅｔｏｏｔｈ（登録商標）や無線ＬＡＮ（Ｗｉｆｉ）、携帯電話通信（３Ｇ、ＬＴＥなど）の通信機能を実現するデバイスを搭載してもよい。その場合、ポスター等の記録物から得た情報に基づいてインターネットに接続して、情報を得たり、遠隔から当該記録物を監視したり、ユーザが目の前の記録物にスマートフォンでＢｌｕｅｔｏｏｔｈ（登録商標）などで接続して「ポスターからクーポンをダウンロードする」といったことも可能となる。制御基板５１は基材シート上に搭載したが、外部（例えば外部ユニット３１または３５内）に設けるようにしてもよい。
【符号の説明】
【００７９】
１０ａ，１０ｂ，１０ｃ，１０ｄ，１０ｅ…記録物
１１…基材シート
１３…導電パターン
１５…画像
１６…コネクタ
２２…粘着テープ
２３…低温半田
２４…導電性接着剤
２５…保護材
２６…電流制限素子
２７…接着剤
２８…金属テープ片
２９…バッテリ
３１…外部ユニット
３２…無線給電送信部
３３…コネクタ
３５…外部ユニット
４１…画像
４２，４３…画像部分
５０…基材シート
５１…制御基板
５２…無線給電受信制御部
５２ａ…端子
５３…発光制御部
５３ａ…端子
５４…静電容量検出部
５４ａ…端子
５５…無線給電受信部
５６，５７，５８…導電パターン
５９…検出電極
６０…壁面
【図１】
2017044744.tif 000003
【図２】
2017044744.tif 000004
【図５】
2017044744.tif 000005
【図６】
2017044744.tif 000006
【図３】
2017044744.tif 000007
【図４】
2017044744.tif 000008
【図７】
2017044744.tif 000009
【図８】
2017044744.tif 000010
【図９】
2017044744.tif 000011
【図１０】
2017044744.tif 000012